(57)【要約】【課題】結像光学素子の周囲の筐体上面に載置された情報入力体に連係して、印象深い立体的二次元映像を、装置の上方にリアルタイムで効果的に表示することのできる表示装置を提供する。【解決手段】この表示装置は、筐体の上面に配置された結像光学素子（マイクロミラーアレイＭ）の周囲に配置される、立体形状を有する情報入力体（立体表示物Ｃ）の形状情報を含む識別情報（ＩＣタグＴ）を、認識手段（センサＳ）で読み取り、その情報を認識手段からディスプレイＤの制御手段に伝達することにより、表示面Ｄａが結像光学素子に対して所定角度α傾斜した状態で配設されたディスプレイＤに、情報入力体に応じた映像（画像Ｉ）を、最適な位置に位置合わせして表示させ、この映像の投影像を、上記結像光学素子を介して、筐体の上側の空間に、情報入力体と連係する空間像Ｉ’として表示する。【選択図】図１
2014126682.tif 000002
【特許請求の範囲】
【請求項１】
ディスプレイを収容する筐体の上面に配置された結像光学素子と、上記結像光学素子の下側に、結像光学素子の下面に対してその表示面が所定角度傾斜した状態で配設されたディスプレイと、それ自体の外形形状の情報を含む情報入力体の識別情報を認識する認識手段と、上記ディスプレイに表示される映像を制御する制御手段と、を備え、結像光学素子の周囲の筐体上面に載置される情報入力体の識別情報を、上記認識手段で認識するとともに、この認識手段から上記制御手段に伝達された上記外形形状の情報を含む識別情報により、上記ディスプレイに、上記情報入力体の外形形状に応じた映像が位置合わせして表示され、この映像の投影像が、上記結像光学素子を介して、情報入力体に連係する筐体上方の位置に結像するようになっていることを特徴とする表示装置。
【請求項２】
上記結像光学素子が、コーナーリフレクタ型の単位光学素子からなるマイクロミラーアレイである請求項１記載の表示装置。
【請求項３】
上記結像光学素子の下面に対する上記ディスプレイの表示面の傾斜角が、３０°以上９０°未満に設定されている請求項１または２記載の表示装置。
【発明の詳細な説明】
【技術分野】
【０００１】
本発明は、結像光学素子の周囲に載置された情報入力体の三次元形状を認識して、この情報入力体に対応した立体的な二次元映像を、装置上方の空間に、上記情報入力体と連係して表示する表示装置に関するものである。
【背景技術】
【０００２】
従来、立体像を含む画像を表示する画像表示面（液晶表示パネル等）の手前側（鑑賞者側）に、この表示面から離間して、空間に上記画像を結像する画像伝達パネル（結像光学素子）を配置した画像表示装置が知られている（例えば、特許文献１を参照）。
【０００３】
この画像表示装置は、上記画像表示面に平行して離間する位置に、両面にマトリクス状に互いに隣接して配列された複数の凸レンズ（単位光学素子）を備える一対のマイクロレンズアレイ（結像光学素子）が配設されており、このマイクロレンズアレイの結像作用により、上記表示面とは反対側の空間（上記結像光学素子の素子面に対して表示面とは反対側の位置）に、上記画像の正立等倍像を投影（結像）させることができる。
【０００４】
また、上記画像の正立等倍像（空間像）が結像する位置の周囲に、水を入れた水槽等の立体枠体を配設し、その結像の近傍（前後）に水生植物，岩石等を配置して、これらの間に魚のような物体（水生動的）を投影することにより、仮想的なアクアリウムを再現する例も提案されている（特許文献２参照）。
【先行技術文献】
【特許文献】
【０００５】
【特許文献１】特開２００１−２５５４９３号公報
【特許文献２】特開２００１−２５５４９４号公報
【発明の概要】
【発明が解決しようとする課題】
【０００６】
しかしながら、上記従来の画像表示装置は、上記液晶表示パネル等の表示面に表示された映像が、上記光学素子（マイクロレンズアレイ）の正面（すなわち、画像表示装置の正面）に結像するため、鑑賞者の視野内にその装置のフレーム等が入ってしまい、臨場感等が得られにくいという問題があった。
【０００７】
また、上記従来の画像表示装置は、その表示フィールドに特定の物体（水生植物や岩石等）が位置決めされた状態で、展示用等に特化した画像（映像）を表示することにより、投影される空間像の立体感を増幅させる仕組みのため、鑑賞者が誰であっても同じ結果しか得られず、その内容がユーザにとって特に印象深いものとはなり難い。そのため、ユーザ個人の興味や趣味、あるいは、上記表示フィールドに載置する物体に合わせた「情報」（画像や映像等）を、実体の情報入力体と連係して効果的に仮想表示する表示装置が求められている。
【０００８】
本発明は、このような事情に鑑みなされたもので、結像光学素子の周囲の筐体上面に載置された情報入力体に連係して、印象深い立体的二次元映像を、装置の上方にリアルタイムで効果的に表示することのできる表示装置の提供をその目的とする。
【課題を解決するための手段】
【０００９】
上記の目的を達成するため、本発明の表示装置は、ディスプレイを収容する筐体の上面に配置された結像光学素子と、上記結像光学素子の下側に、結像光学素子の下面に対してその表示面が所定角度傾斜した状態で配設されたディスプレイと、それ自体の外形形状の情報を含む情報入力体の識別情報を認識する認識手段と、上記ディスプレイに表示される映像を制御する制御手段と、を備え、結像光学素子の周囲の筐体上面に載置される情報入力体の識別情報を、上記認識手段で認識するとともに、この認識手段から上記制御手段に伝達された上記外形形状の情報を含む識別情報により、上記ディスプレイに、上記情報入力体の外形形状に応じた映像が位置合わせして表示され、この映像の投影像が、上記結像光学素子を介して、情報入力体に連係する筐体上方の位置に結像するようになっているという構成をとる。
【００１０】
すなわち、本発明者は、前記課題を解決するため研究を重ね、その結果、鑑賞者等によって結像光学素子の近傍に配置される、情報入力体（立体的な表示物）が保有する「外形形状の情報を含む識別情報」を用いて、上記ディスプレイに表示される映像を、上記情報入力体に応じた映像に変更（更新）することにより、この情報入力体に連係する情報（画像や映像等）を、より臨場感に富んだ立体的な映像として、素早く効果的に提供できることを見出し、本発明に到達した。なお、本発明における「連係する映像」とは、上記情報入力体（立体的な表示物）の形態や動きに合わせ、他の物体や無体物等の空間像が、上記情報入力体と適切な位置関係に表示（投影）されていることをいう。すなわち、上記情報入力体の周囲または近傍における違和感を感じない自然な位置に、情報入力体とインタラクティブする映像が、最適な位置・タイミングで表示される状態であり、これにより、上記映像に、意味やメッセージ性を持たせることができる。
【発明の効果】
【００１１】
本発明の表示装置は、筐体の上面に配置された結像光学素子の下側に、表示面が所定角度で傾斜するディスプレイが配設され、上記結像光学素子の周囲に、外形形状の情報を含む識別情報を保有する立体的な情報入力体（立体表示物）を認識する認識手段が設けられ、この認識手段から伝達される識別情報に対応して、制御手段が、ディスプレイの表示（映像）を変更（更新）する。そして、このディスプレイに表示された映像が、筐体の上面に配設された結像光学素子を透過して、その上方（筐体上面の上方）に、上記情報入力体と連係する立体的な二次元画像（空間像）を結像するようになっている。これにより、本発明の表示装置は、上記情報入力体に適する画像や映像等を、素早く効果的に表示することができる。
【００１２】
また、本発明の表示装置のなかでも、特に、上記結像光学素子が、コーナーリフレクタ型の単位光学素子からなるマイクロミラーアレイであるものは、上記表示される立体的二次元画像を、より輝度の高い鮮明な画像として表示することができるうえ、鑑賞者の視野内に装置のフレームや筐体等が入らない、理想的な光路を設定することが可能になる。
【００１３】
また、本発明の表示装置のなかでも、上記結像光学素子の下面に対する上記ディスプレイの表示面の傾斜角が、３０°以上９０°未満に設定されているものは、上記表示される立体的二次元画像を、より浮遊感の強い立体的な画像として表示することができる。
【００１４】
なお、本発明の表示装置で用いることのできる「結像光学素子」としては、被投影物の鏡像を実像として結像させる屈折型結像素子（フレネルレンズ等を含む各種レンズや、アフォーカル光学系のマイクロミラー，コーナーリフレクタ等）をあげることができる。これら屈折型結像素子のなかでも、その外形形状がパネル状あるいは平板状で、かつ、その表裏面（上下面）が比較的平坦でフラットなものが好ましい。なお、上記結像光学素子の「上面」，「下面」とは、ケース，ハウジング等の筐体の外側にあたる面、または、内側にあたる面を示し、結像の基準（光路の屈折点）となる結像光学素子の「素子面」とほぼ平行な面を指す。
【図面の簡単な説明】
【００１５】
【図１】本発明の実施形態における表示装置の基本構成を説明する一部断面図である。
【図２】上記表示装置に用いられるマイクロミラーアレイの構造を説明する図である。
【図３】本発明の第１実施形態の表示装置の外観斜視図である。
【図４】上記第１実施形態の表示装置の構成を示す断面図である。
【図５】本発明の第２実施形態の表示装置の外観斜視図である。
【発明を実施するための形態】
【００１６】
つぎに、本発明の実施の形態を、図面にもとづいて詳しく説明する。ただし、本発明は、この実施の形態に限定されるものではない。
【００１７】
図１は、本発明の表示装置の基本的な構成を説明する図であり、図２は、上記表示装置に用いられるマイクロミラーアレイ（Ｍ）の詳細構造を説明する図である。なお、図１では、本発明の原理のみを簡潔に説明するために、ケース，ハウジング等の部材や、配線，電装品等の部品の図示を省略している。また、識別情報を保有する情報入力体（以下、「立体表示物」という、図中の符号Ｃ）は、その厚みを誇張して描いている。
【００１８】
本実施形態における表示装置は、図１に示すように、パネル状のマイクロミラーアレイ結像光学素子（以下「マイクロミラーアレイＭ」または単に「アレイＭ」という）と、フラットパネルディスプレイ（以下、ディスプレイＤ）とを備え、マイクロミラーアレイＭに設けられた多数のマイクロミラー（コーナーリフレクタ）による光の反射により、アレイＭの一面（図では下面Ｍｂ）側に、その下面Ｍｂに対して表示面Ｄａが所定角度（α）傾斜した状態で配設されたディスプレイＤに表示された映像（画像Ｉ）を、このアレイＭの他面（図では上面Ｍａ）側の空間に、斜め状に立ち上がる空間像Ｉ’として、浮かび上がるように結像させるものである。
【００１９】
また、上記表示装置は、上記マイクロミラーアレイＭの周囲（上側）に載置される立体表示物Ｃの保有する識別情報を認識するための認識手段（センサＳ）と、上記ディスプレイＤ（表示面Ｄａ）に表示される映像（画像Ｉ）を制御する制御手段（ディスプレイＤに内蔵のため図示省略）とを備えており、図１のように、マイクロミラーアレイＭの周囲に、立体表示物Ｃ等の情報入力体が載置された場合、この立体表示物Ｃ等が保有（所有）する、それ自体の外形形状（立体形状）の情報を含む識別情報を上記センサＳで読み取り、その識別情報がディスプレイＤの制御手段に伝達され、上記ディスプレイＤの表示面Ｄａに、上記識別情報に応じた特別な映像（所定の画像Ｉ）が、所定の位置に位置合わせして表示されるようになっている。そして、このディスプレイＤに表示された画像Ｉの投影像が、上記マイクロミラーアレイＭを介して、そのアレイＭの上側の空間に、空間像Ｉ’として結像し、立体表示物Ｃに連係するようになっている。これが、本発明の表示装置の特徴である。
【００２０】
上記表示装置について、詳しく説明すると、この表示装置に使用する結像光学素子としては、フレネルレンズ等を含む各種レンズや、アフォーカル光学系のマイクロミラー，コーナーリフレクタ等の屈折型結像素子を用いることができる。なかでも、本実施形態においては、図２に示すような、素子面Ｐに対して面対称の位置に像を結ぶ、マイクロミラーアレイＭ（凸型コーナーリフレクタアレイ）が好適に使用される。このマイクロミラーアレイＭは、任意の固定部材等により、鑑賞者の視点（感覚）に対して略水平になるように配設されている。
【００２１】
上記マイクロミラーアレイ（コーナーリフレクタアレイ）Ｍについて、より詳しく説明すると、このマイクロミラーアレイＭは、図２に示すように、基板（基盤）１１の下面（図１における下面Ｍｂ側）に、下向き凸状の多数の微小な四角柱状単位光学素子１２（コーナーリフレクタ）が、斜め碁盤目状に並ぶように配列されている〔図２はアレイを下側から見上げた図である。〕。
【００２２】
上記マイクロミラーアレイＭの各四角柱状の単位光学素子１２は、コーナーリフレクタを構成する一対（２つ）の光反射面（四角柱側方の第１の側面１２ａ，第２の側面１２ｂ）が、それぞれ、「基板表面方向の横幅（幅ｗ）に対する基板厚さ方向の縦長さ（高さｈ）の比」〔アスペクト比（ｈ／ｗ）〕が１．５以上の長方形状に形成されている。また、それぞれの単位光学素子１２は、各コーナー１２ｃを構成する一対の光反射面（第１の側面１２ａ，第２の側面１２ｂ）が、鑑賞者の視点側（図１におけるＥ側）を向くようになっており、その外縁（外辺）を鑑賞者の正面に対して４５°回転させた状態（図３，図５参照）で配設されている。
【００２３】
また、画像Ｉを表示するフラットパネルディスプレイ（ディスプレイＤ）は、図１のように、上記マイクロミラーアレイＭの下面Ｍｂに対して、鑑賞者の手前側（正面Ｅ側）から奥側に向かって所定の傾斜角αで下向きに傾くように配置されており、上記マイクロミラーアレイＭを介して投影される空間像Ｉ’が、鑑賞者の方向を向くようになっている。
【００２４】
なお、上記画像Ｉの表示に用いるディスプレイＤとしては、バックライトを備える液晶表示パネル（ＬＣＤ）の他、プラズマディスプレイパネル，有機ＥＬ表示パネル等、全可視光波長にわたってなるべく偏りのない「白色」と、非表示時の「黒色」とを、コントラスト良く再現できるディスプレイパネルを使用することができる。さらに、ディスプレイＤは、携帯電話または携帯情報端末等の表示部であってもよく、具体的には、上記ディスプレイＤとして、スマートフォン，タブレット型ＰＣ，デジタルフォトフレームや、携帯型ゲーム機，携帯型ブックリーダー，ＰＤＡ，電子辞書等のうち、表示部Ｄａが常時露出する（カバーされていない）タイプのなかで、その表示面Ｄａの寸法が、上記マイクロミラーアレイＭの大きさ（平面形状）に対応するサイズのものを使用することができる。
【００２５】
また、上記ディスプレイＤの傾斜角αは、この表示装置を利用する鑑賞者の姿勢や距離等を考慮して、３０°以上９０°未満（３０°≦α＜９０°）に設定される。
【００２６】
つぎに、マイクロミラーアレイＭの上側に載置される立体表示物Ｃ（情報入力体）は、比較的高さのある立体構造物である。立体表示物Ｃの例としては、樹脂，金属，陶器や紙等からなる、手に取ることのできる立体物、例えば、マスコット，フィギュア等のキャラクター商品や、乗り物，建物，動植物，天体等の模型等があげられる。
【００２７】
また、上記立体表示物Ｃには、上記表示装置のセンサＳに対応する位置（図１における符号Ｔの位置）または近傍に、この立体表示物Ｃを識別するための固有の情報（識別情報）として、ＩＣタグ（ＲＦＩＤ）Ｔや、二次元または一次元のバーコード（印刷）等が配置されている。そして、先にも述べたように、対応するセンサＳにより、これらのＩＣタグＴやバーコード等が保有する情報（形状情報を含む）を読み出し、その情報が、有線または無線通信等により、ディスプレイＤの制御手段に伝達される。
【００２８】
上記識別情報を読み出すセンサＳとしては、立体表示物ＣにＩＣタグＴが用いられている場合は、ＨＦまたはＵＨＦ帯域等のアンテナを備えるＩＣタグ（ＲＦＩＤ）リーダーが使用され、立体表示物Ｃにバーコード（印刷）が用いられている場合は、Ｃ−ＭＯＳイメージセンサ（カメラ）や光学スキャナ等の光学式センサが使用される。また、センサＳの位置や数は、使用形態に応じて適宜設定することができる。
【００２９】
なお、立体表示物Ｃ側に設けられる（保有する）識別情報としては、上記ＩＣタグＴやバーコード等の非接触方式の他、電気的接点を有するメモリ（フッラシュメモリ）等を内蔵する接触方式を採用してもよい。また、上記のように、ＩＣタグＴやバーコード等の非接触方式の識別情報を採用する場合、その情報を読み取り可能な範囲であれば、図４に示すように、立体表示物ＣのＩＣタグＴは、センサＳから多少離れた位置であってもよい。
【００３０】
なお、上記立体表示物Ｃは、マイクロミラーアレイＭの周囲（近傍）に配置されることにより、上記空間像Ｉ’との間に視差を生じ、この空間像Ｉ’の奥行きや浮遊感等を、強調する効果を生む。また、上記立体表示物Ｃの存在により、上記空間像Ｉ’の周囲に何もない表示装置に比べ、空間像Ｉ’に視点（ピント）を合わせ易くなり、立体感や臨場感等がより向上するという効果もある。
【００３１】
上記実施の形態の表示装置の構成によれば、上記マイクロミラーアレイＭの周囲に配置された情報入力体（立体表示物Ｃ等）に対応した画像Ｉや映像等を、アレイＭの上の空間に、印象的な立体的二次元映像（空間像Ｉ’）として、リアルタイムで効果的に表示することができる。
【００３２】
つぎに、より具体的な実施の形態（第１実施形態）について説明する。
図３は、本発明の第１実施形態の表示装置の外観斜視図であり、図４は、この表示装置の構成を示す一部断面図である。
【００３３】
この第１実施形態の表示装置も、パネル状のマイクロミラーアレイ結像光学素子（マイクロミラーアレイ１）と、フラットパネルディスプレイ（ディスプレイ２）とを備え、マイクロミラーアレイ１に多数設けられたマイクロミラー（コーナーリフレクタ）による光の反射により、マイクロミラーアレイ１の下面１ｂ側に配置されたディスプレイ２に表示された映像（画像Ｉ）を、このアレイ１の上面１ａ側の空間に、斜め状に立ち上がる空間像Ｉ’として、空間に浮かび上がるように結像させるものである。この表示装置も、上記ディスプレイ２が、その表示面２ａをマイクロミラーアレイ１の下面１ｂに対して所定角度αで傾斜させた状態で、載置台３上に載置されている。
【００３４】
また、上記表示装置は、上記マイクロミラーアレイ１の周囲（上側）に載置される立体表示物Ｃ（情報入力体、この例では「怪獣」等のフィギュア）の保有する識別情報を認識するための認識手段（センサ４）と、上記ディスプレイ２（表示面２ａ）に表示される映像（画像Ｉ）を制御する制御手段（ディスプレイ２に内蔵のため図示省略）とを備えており、図３のように、ケース５の天板５ａ上に立体表示物Ｃ等の情報入力体が載置された場合、この立体表示物Ｃ等が保有（所有）する識別情報（形状情報）を上記センサ４で読み取り、その識別情報がディスプレイ２に伝達され、上記ディスプレイ２に、上記識別情報に応じた所定の映像（画像Ｉ、この例では「火の玉」の動画）が、適切な位置（上記「怪獣」の頭部前方に相当する位置）に表示されるようになっている。そして、このディスプレイ２に表示された画像Ｉの投影像が、上記マイクロミラーアレイ１を介して、そのアレイ１の上側に、立体表示物Ｃに連係する空間像Ｉ’（すなわち、上記「火の玉」が、あかたも「怪獣」の口から吐き出されたかのような映像、図３参照）として結像する。
【００３５】
より詳しく説明すると、ディスプレイ２を載置するための載置面３ａを備える載置台３は、上記載置面３ａを兼用する板状部材３ｂと、基台３ｃ，３ｃとからなり、略箱状のケース５の内部に配設されている。上記板状部材３ｂは、図４のように、ケース５の底面５ｂおよびマイクロミラーアレイ１の下面１ｂ（または素子面Ｐ）に対して所定角度α傾いた状態で、上記基台３ｃ，３ｃに支持されており、その上面が、ディスプレイ２の載置面３ａとなっている。そして、この載置台３の載置面３ａ上に、ＬＣＤ等のフラットパネルディスプレイを載置することにより、上記ディスプレイ２の表示面２ａが、マイクロミラーアレイ１の素子面Ｐに対してα°傾いた状態で保持されるようになっている。なお、ケース５内における上記載置面３ａの、マイクロミラーアレイ１の下面１ｂ（素子面Ｐ）に対する傾斜角αは、アレイ１による結像が最適となるように調整されており、通常３０°以上９０°未満、好ましくは４０°以上８０°以下に設定されている。
【００３６】
なお、先にも述べたように、上記ディスプレイ２の表示面２ａ上に表示される映像（画像Ｉ）は、通信手段等を介してセンサ４からディスプレイ２に伝達される、立体表示物Ｃ等が保有する識別情報（形状情報）に応じて、その表示面２ａ上における表示位置が変更（位置合わせ）される。例えば、上記のような「火の玉」の場合、上記立体表示物Ｃの上部（「怪獣」の頭部）近傍に表示・投影させるために、その画像Ｉは、斜めになった表示面２ａ上における下側（ケース５の底部５ｂに近いｘ側）に表示される（図４参照）。これにより、上記画像Ｉの空間像Ｉ’は、マイクロミラーアレイ１を介して、立体表示物Ｃの上部（先端）近傍に結像する。逆に、映像を上記立体表示物Ｃの下部（「怪獣」の脚部）近傍に表示・投影させたい場合（例えば「サッカーボール」等）、その画像Ｉを、斜めになった表示面２ａ上における上側（ケース５の天板５ａに近いｙ側）に表示することにより、上記画像Ｉの空間像Ｉ’は、マイクロミラーアレイ１を介して、立体表示物Ｃの下部（根元部）近傍に結像する。勿論、図示はしていないが、上記ディスプレイ２上における、画像Ｉの表示面２ａ左右（横）方向の表示位置も、立体表示物Ｃ等が保有する識別情報（形状情報）に対応して、この立体表示物Ｃに連係する位置に制御される。
【００３７】
また、上記ディスプレイ２および載置台３を収容する筐体（ケース５）は、略箱形（ボックス状）で、その上面に設けられた開口に、略正方形状のマイクロミラーアレイ１が嵌め入れられている（図４参照）。また、このケース５の天板５ａ上には、前記実施形態と同様の立体表示物Ｃが載置されている。
【００３８】
以上の構成によっても、上記ケース５の天板５ａ上に載置された立体表示物Ｃ（立体形状を有する情報入力体）の保有する識別情報が、センサ４により認識され、その情報がディスプレイ２の制御手段に伝達される。そして、上記立体表示物Ｃに連係する画像Ｉや映像等が、マイクロミラーアレイ１の上方の空間に、印象的な立体的二次元映像（空間像Ｉ’）として、効果的に表示される。
【００３９】
つぎに、第２実施形態として、上記略箱形のケース５に代えて、開放形の筐体を用いる場合を説明する。図５は、本発明の第２実施形態の表示装置の外観斜視図である。なお、第１実施形態と同様の機能を有する構成部材には同じ符号を付して、その詳細な説明を省略する。
【００４０】
このハウジング６は、図５に示すように、横方向の壁面のない形状で、その１つの側面（斜面６ｃ）を、ディスプレイ２の載置面（所定角αで傾斜する載置面）として利用している。また、このハウジング６の天板６ａ上には、前記実施形態と同様の立体表示物Ｃが載置されている。
【００４１】
なお、この第２実施形態の表示装置の載置面（斜面６ｃ）には、ディスプレイ２を固定するための吸着（粘着）テープ等が貼着されており、その上に仮固定されたディスプレイ２は、取り外し可能なようになっている。そのため、第２実施形態のディスプレイ２には、携帯電話または携帯情報端末等の表示部が用いられている。具体的には、上記ディスプレイ２として、スマートフォン，タブレット型ＰＣ，デジタルフォトフレームや、携帯型ゲーム機，携帯型ブックリーダー，ＰＤＡ，電子辞書等のうち、その表示部が常時露出する（カバーされていない）タイプのなかで、上記載置面（斜面６ｃ）上に載置できるサイズのものを使用することができる。しかも、上記ハウジング６は、ディスプレイ２（スマートフォン等）の挿入や取り出しや交換等を、容易かつ簡単に行うことができる。
【００４２】
また、ディスプレイ２として、上記スマートフォンや携帯情報端末等を使用する場合、これら機器のなかには、その背面（ディスプレイ２の背面）側に、機器独自のＩＣタグリーダー（ＮＦＣリーダライタ）や光学式センサ（ＣＣＤカメラ）等を備えているものもある。ＩＣタグリーダーの場合、上記立体表示物Ｃ（情報入力体）を一旦、スマートフォンや携帯情報端末等の背面に近づけて識別情報を読み取らせ（読み込ませ）、その後に、上記立体表示物Ｃを天板（６ａ）上に載置すればよい。また、光学式センサが機器背面に配置されている場合は、対応する位置の載置面（斜面６ｃ）に撮影用の貫通孔，穴等を設け、この貫通孔等を通してバーコード等を読み取ればよい。あるいは、光学式センサが機器前面に配置されている場合は、天板（６ａ）の下に、一旦、立体表示物Ｃを差し込んで識別情報を読み取らせ（読み込ませ）、その後に、上記立体表示物Ｃを天板（６ａ）上に載置してもよい。
【００４３】
以上の構成によっても、上記ハウジング６の天板６ａ上に載置された立体表示物Ｃの保有する、外形形状の情報を含む識別情報が、センサ４により認識され、その情報がディスプレイ２（スマートフォン等）の制御手段に伝達される。そして、上記立体表示物Ｃに対応した画像Ｉや映像等が、マイクロミラーアレイ１の上方の空間に、立体表示物Ｃに連係する印象的な立体的二次元映像（空間像Ｉ’）として、効果的に表示される。
【産業上の利用可能性】
【００４４】
本発明の表示装置は、炎，雲，蒸気等、無定型の無体物を、立体表示物の周りに、関連する動画として投影するのに適しており、ジオラマや、プラスチック・モデル，ソリッドモデル，ガレージキット，ペーパーモデル等、あるいは、ミニカー，食玩，フィギュア等の展示・陳列用途に好適である。また、キャラクターや商品模型等を用いた商業利用の他、立体モデルだけでは表現し難い化学物質の構造の映像化等、学術・教育分野でも利用することができる。
【符号の説明】
【００４５】
Ｃ  立体表示物
Ｄ  ディスプレイ
Ｄａ  表示面
Ｍ  マイクロミラーアレイ
Ｓ  センサ
Ｔ  ＩＣタグ
Ｉ  画像
Ｉ’  空間像
【図１】
2014126682.tif 000003
【図２】
2014126682.tif 000004
【図３】
2014126682.tif 000005
【図４】
2014126682.tif 000006
【図５】
2014126682.tif 000007